(57)【特許請求の範囲】
【請求項１】
被写体の光学像を光電変換して画像として取り込む撮像手段と、
この撮像手段による画像ならびにその画像を記録させる使用者を登録者として記憶保持する記憶手段と、
この記憶手段の画像の再生時に該画像を表示する表示手段と、
使用者が登録された者で有るか否かを識別するための使用者識別手段と、
上記記録画像の再生、消去または複写の各動作のうちで使用者が選択したものに対する操作を許可するためのアクセス権の設定手段と、
上記撮像手段ならびに上記再生、消去または複写の各動作を制御する制御手段とを備え、
使用者未登録のままで撮影した際には、各種アクセス権の設定はすべて全員に対して許可状態で、画像が記録されるように構成され、
上記制御手段は、記録画像の再生、消去または複写の各操作が行われる際に、その時の使用者に対する識別結果に基づいて記録画像に係るアクセス権の行使の認否を行うことを特徴とする電子撮像装置の画像取り扱いシステム。
【請求項２】
使用者識別手段は、使用者名と使用者を特定するパスワードを識別用入力情報としてなる請求項１に記載の電子撮像装置の画像取り扱いシステム。
【請求項３】
使用者識別手段は、使用者の指紋と使用者を特定するパスワードを識別用入力情報としてなる請求項１に記載の電子撮像装置の画像取り扱いシステム。
【発明の詳細な説明】
【０００１】
【発明の属する技術分野】
この発明は、たとえば静止画像を記録再生するデジタルスチルカメラなどに適用される電子撮像装置の画像取り扱いシステムに関する。
【０００２】
【従来の技術】
従来この種の装置、たとえば、デジタルスチルカメラでは、被写体の光学像を、電荷結合素子（以下、ＣＣＤと称する）の各画素で光電変換して電荷信号からなる静止画像として取り込むとともに、この画像をメモリカードなどの記録媒体に記録し、使用者の所定の操作により記録画像の再生、消去、さらにはパーソナルコンピュータなどの外部機器への複写が行えるようになっている。
【０００３】
【発明が解決しようとする課題】
ところで、使用者（撮影者）は、自分が撮影した画像を著作物として保護したい場合があるが、従来のデジタルスチルカメラでは、上記再生、消去および複写の各操作を、撮影者の意向により、制限できるような機能を備えてはいない。このため、１台のデジタルスチルカメラを複数人で使ったりする場合には、本人の記録画像が他人に無断で再生されて閲覧されたり、意図的もしくは不用意に消去されたり、あるいは外部機器に複写されるおそれがある。
【０００４】
この発明は、上記従来の問題を解消し、使用者が撮影した画像を、他人が勝手に再生したり、複写したりするのを、本人の意向により操作上、制限でき、記録画像を著作物として保護することができる電子撮像装置の画像取り扱いシステムを提供することを目的としている。
【０００５】
【課題を解決するための手段】
上記目的を達成するため、この発明に係る電子撮像装置の画像取り扱いシステムは、被写体の光学像を光電変換して画像として取り込む撮像手段と、この撮像手段による画像ならびにその画像を記録させる使用者を記憶保持する記憶手段と、この記憶手段の画像の再生時に該画像を表示する表示手段と、使用者が登録された者で有るか否かを識別するための使用者識別手段と、上記記録画像の再生、消去または複写の各動作のうちで使用者が選択したものに対する操作を許可するためのアクセス権の設定手段と、上記撮像手段ならびに上記再生、消去または複写の各動作を制御する制御手段とを備え、使用者未登録のままで撮影した際には、各種アクセス権の設定はすべて全員に対して許可状態で、画像が記録されるように構成され、上記制御手段は、上記記録画像の再生、消去または複写の各操作が行われる際に、その時の使用者に対する識別結果に基づいて記録画像に係るアクセス権の行使の認否を行うことを特徴とするものである。
【０００６】
このような電子撮像装置の画像取り扱いシステムでは、使用者は、撮影者本人であることを登録し、さらに所望のアクセス権を設定しておけば、記録画像の再生、消去または複写の各操作が行われる際に、使用者識別手段により、使用者本人であるか否かが識別されるので、本人であると確認されると、アクセス権の行使が認められ、それらの操作が可能となり、上記画像を再生したり消去したり複写したりすることができる。逆に本人であると確認されないと、アクセス権の行使が認められず、それらの操作が不可能となる。したがって、他人に無断で上記記録画像が再生されて閲覧されたり、消去されたり、複写されたりする心配はなくなる。また、使用者未登録のままで撮影した際には、各種アクセス権の設定はすべて全員に対して許可状態で、画像が記録されるように構成されているから、使用者全員が記録画像の再生、消去および複写を何ら制約されることなく行える。
【０００７】
また、使用者識別手段において、使用者名と使用者本人を特定するパスワードを識別用入力情報とした場合には、使用者による登録作業が比較的簡単に行える。
【０００８】
また、使用者識別手段において、使用者の指紋と使用者を特定するパスワードを識別用入力情報とした場合には、使用者による登録作業が一層簡易になる。
【００１０】
【発明の実施の形態】
＜デジタルスチルカメラの構成＞
デジタルスチルカメラ１は、図１〜３に示すように、箱型のカメラ本体部２と直方体状の撮像部３とから構成されている。撮像部３は、正面（図１の紙面手前側）から見てカメラ本体部２の右側面に着脱可能、かつ、この右側面と平行な面内に回動可能に装着されている。
【００１１】
前記撮像部３は、マクロズームからなる撮影レンズ及びＣＣＤ（ＣｈａｒｇｅＣｏｕｐｌｅｄ  Ｄｅｖｉｃｅ）等の光電変換素子からなる撮像装置を有し、被写体の光学像をＣＣＤの各画素で光電変換された電荷信号により構成される画像に変換して取り込むものである。一方、カメラ本体部２は、ＬＣＤ（Ｌｉｑｕｉｄ  Ｃｒｙｓｔａｌ  Ｄｉｓｐｌａｙ）からなる表示部１０、メモリカード８の装着部１７及びパーソナルコンピュータが外部接続される接続端子１３を有し、主として上記撮像部３で取り込まれた画像信号に所定の信号処理を施した後、ＬＣＤ表示部１０への表示、メモリカード８への記録、パーソナルコンピュータへの転送等の処理を行うものである。
【００１２】
撮像部３の内部には、マクロズームレンズ３０１が配設され、このマクロズームレンズ３０１の後方位置の適所にＣＣＤカラーエリアセンサ３０３を備えた撮像回路が設けられている。また、撮像部３内の適所にフラッシュ光の被写体からの反射光を受光する調光センサ３０５を備えた調光回路３０４が設けられている。
【００１３】
カメラ本体部２の前面には、図１に示すように、左端部の適所にグリップ部４が設けられ、右端部の上部適所に内蔵フラッシュ５とパーソナルコンピュータ等の外部装置とのデータの転送を行うための赤外線送受信部ＩＲが設けられている。また、カメラ本体部２の上面には、図２に示すように、略中央に記録画像を再生する際のコマ送り用のスイッチ６、７が設けられている。スイッチ６は、記録画像をコマ番号が増大する方向（撮影順の方向）にコマ送りするためのスイッチ（以下、Ｕｐキーという。）であり、スイッチ７は、記録画像をコマ番号が減少する方向にコマ送りするためのスイッチ（以下、Ｄｏｗｎキーという。）である。また、背面側（図２の紙面手前側）からみてＤｏｗｎキー７の左側にメモリカード８に記録された画像を消去するための消去スイッチＤが設けられ、Ｕｐキー６の右側にシャッターボタン９が設けられている。
【００１４】
カメラ本体部２の背面には、図２に示すように、左端部の略中央に撮影画像のモニタ表示（ビューファインダーに相当）及び記録画像の再生表示等を行うためのＬＣＤ表示部１０が設けられている。また、ＬＣＤ表示部１０の下方位置には、メモリカード８に記録される画像データの圧縮率Ｋを切換設定するための圧縮率設定スライドスイッチ１２が設けられている。また、カメラ本体部２の撮像部３側の側面には、パーソナルコンピュータが外部接続される接続端子１３が設けられ、背面上部には電源スイッチＰＳ、表示部１０の表示内容を切り替える表示切り替えスイッチＤＩＳＰ、入力した内容を取り消すような指示を行うための「戻る」スイッチＥＳＣが設けられている。
【００１５】
前記デジタルスチルカメラ１には、フラッシュ（以下、フラュシュをＦＬと記すことがある）発光に関するモードとして、被写体輝度に応じて自動的に内蔵フラッシュ５を発光させる「自動発光モード」、被写体輝度に関係なく内蔵フラッシュ５を強制的に発光させる「強制発光モード」及び内蔵フラッシュ５の発光を禁止する「発光禁止モード」が設けられ、本体部２の背面のＬＣＤ１０の上方に配設されたＦＬモード設定キー１１を押す毎に「自動発光」、「強制発光」及び「発光禁止」の各モードがサイクリックに切り換わり、いずれかのモードが選択設定されるようになっている。また、デジタルスチルカメラ１は、１／８と１／２０の２種類の圧縮率Ｋが選択設定可能となされ、例えば圧縮率設定スイッチ１２を右にスライドすると、圧縮率Ｋ＝１／８が設定され、左にスライドすると、圧縮率Ｋ＝１／２０が設定される。なお、本実施の形態では、２種類の圧縮率Ｋが選択設定できるようにしているが、３種類以上の圧縮率Ｋを選択設定できるようにしてもよい。
【００１６】
更に、カメラ本体部２の背面の右端上部には、「撮影モード」と「再生モード」と「ユーティリティーモード」を切り替え設定する撮影／再生／ユーティリティーモード設定スイッチ１４が設けられている。撮影モードは、写真撮影を行うモードであり、再生モードは、メモリカード８に記録された撮影画像をＬＣＤ表示部１０に再生表示するモードである。撮影／再生／ユーティリティーモード設定スイッチ１４もスライドスイッチからなり、例えば右にスライドすると撮影モードが設定され、中央にスライドすると再生モードが設定され、左にスライドすると、ユーティリティーモードが設定される。
【００１７】
カメラ本体部２の底面には、電池装填室１８とメモリカード８のカード装填室１７とが設けられ、両装填室１７、１８の装填口は、クラムシェルタイプの蓋１５により閉塞されるようになっている。本実施形態におけるデジタルスチルカメラ１は、４本の単三形乾電池を直列接続してなる電源電池Ｅを駆動源としている。
【００１８】
図４は、デジタルカメラ１の制御系を示すブロック図である。
【００１９】
撮像部３内において、前記ＣＣＤ３０３は、マクロズームレンズ３０１により結像された被写体の光像を、Ｒ（赤）、Ｇ（緑）、Ｂ（青）の色成分の画像信号（各画素で受光された画素信号の信号列からなる信号）に光電変換して出力する。タイミングジェネレータ３１４は、ＣＣＤ３０３の駆動を制御するための各種のタイミングパルスを生成するものである。
【００２０】
撮像部３における露出制御は、絞りが固定絞りとなっているので、ＣＣＤ３０３の露光量、すなわち、シャッタスピードに相当するＣＣＤ３０３の電荷蓄積時間を調節して行われる。被写体輝度が低輝度時に適切なシャッタスピードが設定できない場合は、ＣＣＤ３０３から出力される画像信号のレベル調整を行うことにより露光不足による不適正露出が補正される。すなわち、低輝度時は、シャッタスピードとゲイン調整とを組み合わせて露出制御が行われる。画像信号のレベル調整は、信号処理回路３１３内のＡＧＣ回路のゲイン調整において行われる。
【００２１】
タイミングジェネレータ３１４は、タイミング制御回路２０２から送信される基準クロックに基づきＣＣＤ３０３の駆動制御信号を生成するものである。タイミングジェネレータ３１４は、例えば積分開始／終了（露出開始／終了）のタイミング信号、各画素の受光信号の読出制御信号（水平同期信号、垂直同期信号、転送信号等）等のクロック信号を生成し、ＣＣＤ３０３に出力する。
【００２２】
信号処理回路３１３は、ＣＣＤ３０３から出力される画像信号（アナログ信号）に所定のアナログ信号処理を施すものである。信号処理回路３１３は、ＣＤＳ（相関二重サンプリング）回路とＡＧＣ（オートゲインコントロール）回路とを有し、ＣＤＳ回路により画像信号のノイズの低減を行い、ＡＧＣ回路のゲインを調整することにより画像信号のレベル調整を行う。
【００２３】
調光回路３０４は、フラッシュ撮影における内蔵フラッシュ５の発光量を全体制御部２１１により設定された所定の発光量に制御するものである。フラッシュ撮影においては、露出開始と同時に被写体からのフラッシュ光の反射光が調光センサ３０５により受光され、この受光量が所定の発光量に達すると、調光回路３０４から全体制御部２１１を介してフラッシュ制御回路２１４に発光停止信号が出力される。フラッシュ制御回路２１４は、この発光停止信号に応答して内蔵フラッシュ５の発光を強制的に停止し、これにより内蔵フラッシュ５の発光量が所定の発光量に制御される。
【００２４】
カメラ本体部２内において、Ａ／Ｄ変換器２０５は、画像信号の各画素信号を１０ビットのデジタル信号に変換するものである。Ａ／Ｄ変換器２０５は、図示しないＡ／Ｄクロック発生回路から入力されるＡ／Ｄ変換用のクロックに基づいて各画素信号（アナログ信号）を１０ビットのデジタル信号に変換する。
【００２５】
カメラ本体部２内には、基準クロック、タイミングジェネレータ３１４、Ａ／Ｄ変換器２０５に対するクロックを生成するタイミング制御回路２０２が設けられている。タイミング制御回路２０２は、全体制御部２１１により制御される。
【００２６】
黒レベル補正回路２０６は、Ａ／Ｄ変換器２０５でＡ／Ｄ変換された画素信号（以下、画素データという。）の黒レベルを基準の黒レベルに補正するものである。また、ホワイトバランス回路（以下、ＷＢ回路という）２０７は、γ補正後にホワイトバランスも合わせて調整されるように、Ｒ、Ｇ、Ｂの各色成分の画素データのレベル変換を行うものである。ＷＢ回路２０７は、全体制御部２１１から入力される、レベル変換テーブルを用いてＲ、Ｇ、Ｂの各色成分の画素データのレベルを変換する。なお、レベル変換テーブルの各色成分の変換係数（特性の傾き）は全体制御部２１１により撮影画像毎に設定される。
【００２７】
γ補正回路２０８は、画素データのγ特性を補正するものである。γ補正回路２０８は、γ特性の異なる例えば６種類のγ補正テーブルを有し、撮影シーンや撮影条件に応じて所定のγ補正テーブルにより画素データのγ補正を行う。
【００２８】
画像メモリ２０９は、γ補正回路２０８から出力される画素データを記憶するメモリである。画像メモリ２０９は、１フレーム分の記憶容量を有している。すなわち、画像メモリ２０９は、ＣＣＤ３０３がｎ行ｍ列の画素を有している場合、ｎ×ｍ画素分の画素データの記憶容量を有し、各画素データが対応する画素位置に記憶されるようになっている。
【００２９】
ＶＲＡＭ２１０は、ＬＣＤ表示部１０に再生表示される画像データのバッファメモリである。ＶＲＡＭ２１０は、ＬＣＤ表示部１０の画素数に対応した画像データの記憶容量を有している。
【００３０】
撮影待機状態においては、撮像部３により１／３０（秒）毎に撮像された画像の各画素データが、Ａ／Ｄ変換器２０５〜γ補正回路２０８により所定の信号処理を施された後、画像メモリ２０９に記憶されるとともに、全体制御部２１１を介してＶＲＡＭ２１０に転送され、ＬＣＤ表示部１０に表示される。これにより撮影者はＬＣＤ表示部１０に表示された画像により被写体像を視認することができる。また、再生モードにおいては、メモリカード８から読み出された画像が全体制御部２１１で所定の信号処理が施された後、ＶＲＡＭ２１０に転送され、ＬＣＤ表示部１０に再生表示される。
【００３１】
カードＩ／Ｆ２１２は、メモリカード８への画像データの書込み及び画像データの読出しを行うためのインターフェースである。また、通信用Ｉ／Ｆ２１３は、パーソナルコンピュータ１９を通信可能に外部接続するための、例えば赤外線インターフェース（ＩｒＤＡ）に準拠したインターフェースである。
【００３２】
フラッシュ制御回路２１４は、内蔵フラッシュ５の発光を制御する回路である。フラッシュ制御回路２１４は、全体制御部２１１の制御信号に基づき内蔵フラッシュ５の発光の有無、発光量及び発光タイミング等を制御し、調光回路３０４から入力される発光停止信号ＳＴＰに基づき内蔵フラッシュ５の発光量を制御する。
【００３３】
ＲＴＣ２１９は、撮影日時を管理するための時計回路であり、図示しない別の電源で駆動される。
【００３４】
操作部２５０は、上述した、Ｕｐキー６、Ｄｏｗｎキー７、シャッターボタン９、ＦＬモード設定キー１１、圧縮率設定スイッチ１２、撮影／再生／ユーティリティーモード設定スイッチ１４、「戻る」スイッチＥＳＣ、表示切り替えスイッチＤＩＳＰに相当するスイッチを備えている。
【００３５】
全体制御部２１１は、マイクロコンピュータからなり、上述した撮像部３内及びカメラ本体部２内の各部材の駆動を有機的に制御してデジタルカメラ１の撮影動作を統括制御するものである。
【００３６】
全体制御部２１１は、撮影モードにおいて、シャッターボタン９により撮影が指示されると、撮影指示後に画像メモリ２０９に取り込まれた画像のサムネイル画像と圧縮率設定スイッチ１２で設定された圧縮率ＫによりＪＰＥＧ方式により圧縮された圧縮画像とを生成し、撮影画像に関するタグ情報（コマ番号、露出値、シャッタスピード、圧縮率Ｋ、撮影日、撮影時のフラッシュのオンオフのデータ、シーン情報、画像の判定結果等の情報）とともに両画像をメモリカード８に記憶する。
【００３７】
図５は前記メモリカード８のデータ配列状態を示す。デジタルスチルカメラ１によって記録された画像は、圧縮率１／２０で４０コマからなり、各コマ８１〜８５はタグの部分とＪＰＥＧ形式で圧縮された高解像度の画像データ（６４０×４８０画素）とサムネイル表示用の画像データ（８０×６０画素）が記録されている。各コマ単位で、たとえばＥＸＩＦ形式の画像ファイルとして扱うことが可能である。タグには、撮影者名（使用者名）、パスワード、画像ファイルの各種操作に対するアクセス権が記憶されている。
【００３８】
図６は、デジタルスチルカメラ１の使用者の識別手段６０を示し、また図７は同カメラ１における記録画像の再生、消去及び複写の各動作のうちで使用者が選択したものの操作を許可するためのアクセス権の設定手段７０を示すものである。
【００３９】
これら使用者の識別手段６０ならびにアクセス権の設定手段７０の各動作は、前記全体制御部２１１のＲＯＭ内に記憶されてＣＰＵで制御される。
【００４０】
図６において、６１は使用者入力部であり、表示部１０の画面上で一つの識別用入力情報として使用者の名前が入力される。使用者の名前が入力されると、使用者データ抽出部６２では、使用者をデータとして抽出する。この使用者データは、使用者データ記憶部６３に記憶される。
【００４１】
一方、パスワード入力部６４に、もう一つの識別用入力情報として、使用者のパスワードが入力されると、照合部６５により上記使用者データに対して上記パスワード入力部６４のパスワードが照合され、パスワードが「正当」であるか否か（使用者が「本人」であるか否か）が判別されるようになっている。
【００４２】
上記識別用入力情報として、使用者やパスワードを用いるので、使用者による登録作業が比較的簡易に行える。
【００４３】
図７において、使用者入力部６１に使用者名が入力されると、アクセス権の対象種目選択部７２により、アクセス権の対象種目がＬＣＤ表示部１０の画面上に表示されて選択可能となる。使用者がアクセス権の対象種目を選択操作すると、選択された対象種目に対するアクセス権が設定されて、アクセス権記憶部７３に記憶されるようになっている。
【００４４】
全体制御部２１１のＣＰＵは、記録画像の再生、消去および複写の各操作にあたり、その時の使用者に対する識別結果に基づいて、アクセス権の行使の認否を行う。
【００４５】
＜新規使用者の設定＞
このデジタルスチルカメラ１は、コンピュータのグラフィック・ユーザ・インターフェース（ＧＵＩ）と同様の操作性を具有させてある。「ユーティリティモード」の設定などで、使用者の選択が必要な事象がある場合、表示部１０の画面上にメッセージボックスの表示が行われる。
【００４６】
また、前記シャッターボタン９は、使用者が「肯定している」ことを意味する操作として使用される。さらに、コマ送り用のＵｐキー６もしくはＤｏｗｎキー７は、選択肢の順次選択の操作として使用される。「戻る」スイッチＥＳＣは、現在のモードから上位層への移行、操作の撤回およびキャンセルの動作に使用される。
【００４７】
まず、デジタルスチルカメラ１をモード設定スイッチ１４により「ユーティリティモード」に切替設定する。この「ユーティリティモード」が設定されると、前記表示部１０の画面上には、図８（ａ）に示すようなダイアローグ（１．使用者の設定、２．アクセス権の設定）が表示される。
【００４８】
ここで、上記Ｕｐキー６もしくはＤｏｗｎキー７を用いて、「１．使用者の設定」を選択し、シャッターボタン９を押込操作すると、表示部１０の画面は、図８（ｂ）のような「１．使用者の設定」に切り替る。この実施形態では、使用者は、たとえば５名に限定してある。この状態で、再びＵｐキー６もしくはＤｏｗｎキー７を操作して使用者に対応する使用者番号を選択する。番号を選択した後、たとえばローマ字で１０文字枠以内に使用者の名前を入力する。
【００４９】
文字入力方法としては、Ｕｐキー６を操作する毎に候補ローマ字が、ａ→ｂ→ｃ→…と変化する。希望の文字が現れた時点でシャッターボタン９を押込操作すれば、その文字が決定される。この文字が決定されると、表示部１０の画面上のカーソルは一文字分だけ右方にシフトし、次の文字が入力可能となる。
【００５０】
このようにして、すべて文字を入力して、「戻る」スイッチＥＳＣを操作すると、表示部１０の画面上には、図８（ｃ）に示すような確認用ダイアローグ（ＮＯ，ＹＥＳ）が表示される。ここで、「ＹＥＳ」を選択し、シャッターボタン９を押込操作すると、使用者として新たな名前が登録される。
【００５１】
使用者名が登録されると、上記表示部１０の画面上には、図８（ｄ）に示すパスワード設定用の表示が現れ、この画面上でパスワードの設定を行う。ここでは、たとえば４桁の数字を前述のローマ字の入力と同様の方法で行う。
【００５２】
４桁の数字の入力を行うと、表示部１０の画面上には、図８（ｅ）のようにパスワード確認用のダイアローグ（ＮＯ，ＹＥＳ）が表示される。ここで、「ＹＥＳ」を選択すると、そのパスワードが登録され、「ＮＯ」を選択すると、ＬＣＤ（４）の画面は、再び図８（ｄ）の画面となる。使用者名とパスワードの登録が終わると、表示部１０の画面は、図８の（ａ）の画面に戻る。
【００５３】
つぎに、使用者が望む対象種目に対するアクセス権の設定手順を説明する。
【００５４】
まず、図８（ａ）に示す表示部１０の画面において、前述の方法で、「２．アクセス権の設定」を選択すると、表示部１０の画面は、図８（ｆ）に示すようなアクセス権設定用の表示画面となる。ここで、前述した方法により、表示部１０の画面上でアクセス権の設定を行う。つまり、アクセス権を設定する使用者の番号を選択し、シャッタボタン９を押込操作して決定すると、表示部９の画面上には、図８（ｇ）に示すようなアクセス権の対象種目が表示される。
【００５５】
ここで上記Ｕｐキー６もしくはＤｏｗｎキー７を操作すると、上記アクセス権の対象種目が、１．閲覧→２．消去→３．複写→と循環的に変化する。所望の種目に合わせて、シャッターボタン９を押込操作して決定すると、それが設定される。
【００５６】
この状態で、上記Ｕｐキー６もしくはＤｏｗｎキー７を操作すると、別の対象種目が、本人→全員→本人→と循環的に変化する。選択したい対象種目（本人か全員）を選択して、シャッターボタン９を押込操作して決定すると、それが設定される。これと同時に、再び次段に別の対象種目の前に選択指示マーク（→）が現れるので、同様にして次段の対象種目を選択設定する。
【００５７】
すべての対象種目を設定した後、「戻る」スイッチＥＳＣを操作すると、表示部１０の画面上には、図８（ｈ）に示すような対象種目設定確認用のダイアローグ（ＮＯ，ＹＥＳ）が表示される。
【００５８】
ここで、「ＹＥＳ」を選択して決定すると、設定通りの各種アクセス権が登録される。「ＮＯ」を選択して決定すると、表示部１０の画面は、図８（ｆ）の表示に戻る。
【００５９】
上記の手順により、５人の使用者全員に対して、上記の対象種目のアクセス権を設定登録することができる。ここで、「本人」とは、本人のみ可能を、また、「全員」とは、全員可能をそれぞれ意味する。
【００６０】
＜撮影時の使用者情報の設定方法＞
次に、デジタルスチルカメラ１による撮影時の使用者記録手順を説明する。
【００６１】
まず、デジタルスチルカメラ１の「撮影モード」において、電源スイッチＰＳをオンにすると、表示部の画面上には図９（ａ）に示すような表示が現れる。
【００６２】
ここで、Ｕｐキー６もしくはＤｏｗｎキー７を操作して、所定の項目を選択し、シャッターボタン９を押込操作すると、表示部１０の画面上に図９（ｂ）のような表示が現れ、使用者を登録することができる。
【００６３】
この時に入力した使用者が上記電源スイッチＰＳをオフするまで、あるいは電源が自動的にオフになるまでは、その間に撮影した画像の撮影者として、メモリカード８における画像ファイルのタグの中に、撮影者名、パスワード、各種アクセス権の設定が記録される。
【００６４】
上記「使用者設定」において、「戻る」スイッチＥＳＣを操作すると、使用者未登録のままで「撮影モード」に入り、画像ファイルの中の撮影者名、パスワードは「空」で記録され、各種アクセス権の設定はすべて「全員可能」で記録され、全員が制約なく各操作を行える。
【００６５】
＜再生、消去、複写の各動作＞
デジタルスチルカメラ１をモード設定スイッチ１４により、「再生モード」に切り替えると、メモリカード８に記録された画像が再生され、上記表示部１０の画面上に表示される。
【００６６】
上記「再生モード」が「撮影モード」から電源オン状態で切り替えられた場合、「撮影モード」時の設定の使用者名が保持される。電源オフ状態から「再生モード」にして電源スイッチ１５をオンした場合には、撮影時と同様な手順で、現在の使用者名の確認作業が行われる。
【００６７】
この時、表示部１０の画面上には、図１０（ａ）のような使用者の項目が表示され、所定の使用者名を選択すると、図１０（ｂ）に示すように使用者名の確認のダイアローグ（ＮＯ，ＹＥＳ）が表示される。
【００６８】
図１０（ｂ）に示す表示部の画面上の表示から、使用者である「ＹＥＳ」を選択して決定すると、表示部１０の画面上には、図１０（ｃ）に示すように「本人」か否かを確認するための表示が現れ、パスワード確認作業となる。これにより、使用者が確認され、その使用者が記録時に設定した「本人」に係る各操作がアラート表示なく行える。
【００６９】
もしパスワードが「正当」でない場合には、表示部１０の画面上に図１０（ｄ）に示すようなアクセス拒否アラートが表示される。
【００７０】
図１０（ｄ）に示すアラート表示状態において、Ｕｐキー６もしくはＤｏｗｎキー７を操作して、「ＹＥＳ」を選択し、シャッターボタン９の押込操作により決定すると、上記表示部１０の画面上には、再び図１０（ｃ）に示すパスワード入力のダイアローグが表示される。この時、前述した方法でパスワードを新たに入力し、これが「正当」であると判定されると、表示部１０の画面上に再生画像が表示される。逆にパスワードが「不当」であると判定されると、表示部１０の画面上に、再び図１０（ｄ）に示すようなアクセス拒否アラートが表示される。したがって、使用者名を登録するとともに、所望のアクセス権を設定しておけば、その使用者が撮影した画像を無断で他人に再生されて閲覧されたり、消去されたり、あるいは外部のパーソナルコンピュータなどに複写されたりするおそれはなくなる。
【００７１】
デジタルスチルカメラ１の電源オン状態において、使用者名が存在しない場合、あるいは使用者名を入力しない場合には、「戻る」スイッチＥＳＣを操作することにより、使用者未登録のままで使用することができる。
【００７２】
この時、Ｕｐキー６もしくはＤｏｗｎキー７を操作することにより、現在再生しているコマの後のコマ、あるいは前のコマに移行させることができる。前記全体制御部２１１内のＣＰＵは、まず指定されたコマの画像ファイルのアクセス権を読み取り、閲覧設定が「全員」であれば、ＪＰＥＧ画像に所定の伸張処理を行い、表示部１０に画像（図１１の（ａ））を表示させる。
【００７３】
これに対し、その使用者以外の人が記録し、撮影した使用者「本人」に係る画像（図１１の（ｄ））に対しては、表示部１０の画面上に図１１（ｂ）に示すようなアクセス拒否アラートが表示される。
【００７４】
図１１（ｂ）に示すアラート表示状態において、Ｕｐキー６もしくはＤｏｗｎキー７を操作して、「ＹＥＳ」を選択し、シャッターボタン９の押込操作により決定すると、上記表示部１０の画面上には、図１１（ｃ）に示すパスワード入力のダイアローグが表示される。この時、前述した方法でパスワードを入力し、これが「正当」であると判定されると、そのパスワードで閲覧できる画像に対してのアラート表示はなく、表示部１０の画面上で再生画像（図１１（ｄ））を再生して閲覧することができる。つまり、電源オン時に設定しなかった使用者名（１名以上）を、途中から設定した状態にできることになる。
【００７５】
電源オン時に使用者とパスワード設定し、その後は、最初に入力した使用者の画像以外で撮影者の「本人」に係る画像の再生操作時に、新たにパスワード入力を行うことにより、２名分の閲覧できる画像の両方をアラート表示なく、再生して閲覧することが可能となる。
【００７６】
以上の実施形態では、画像の再生動作時の操作を説明したが、消去、複写（他の機器への転送）においても同様な操作となる。
【００７７】
また、上記実施の形態では、ファイルのアクセス権をファイル内のタグ情報の一つとして記録した例を説明したが、これ以外に、アクセス権を記録したアクセス権設定テーブルファイルを特別に設け、すべての動作をこのファイルを参照して行うようなシステムも考えられる。ただし、記録媒体からファイル単位で複写する場面、画像ファイルとアクセス権設定テーブルファイルとが個別に存在するため、画像ファイルのみの複写が行われると、複写先において、上記アクセス権が失われる場合が考えられる。このため、画像ファイルと上記アクセス権設定テーブルとが一緒に複写されるように設定しておけば、複写先でも、登録した使用者の画像に対するアクセス権が保たれる。
【００７８】
図１２および図１３は、それぞれこの発明の他の実施形態であるデジタルスチルカメラ１および使用者識別手段６０を示すものである。
【００７９】
図１２において、カメラ本体部２には、これを把持した使用者の指先があたりやすい部位、たとえばシャッターボタン９の上面（操作面）ないしはこの例のような背面グリップ部２０の表面に位置して、指紋センサ２１が指紋入力部として設けられている。
【００８０】
図１３において、使用者の指紋が指紋入力部８１で検出されて識別用入力情報の１つとして入力されると、指紋データ抽出部８２では、使用者の指紋データを抽出し、このデータは指紋データ記憶部８３に記憶保持される。一方、使用者のパスワードがパスワード入力部６４により入力される。
【００８１】
照合部６５では、上記指紋データ記憶部８３の記憶内容である当該使用者の指紋データと上記パスワードを照合し、使用者が「本人」であるか否かを判別する。この結果に基づいて、全体制御部２１１がアクセス権の行使の認否を行うので、前記実施形態と同様の作用効果が発揮される。
【００８２】
この場合、使用者がデジタルスチルカメラ１を把持するだけで、識別用入力情報の一つが入力されるので、使用者の登録作業が迅速、かつ容易に行え、使い勝手が一段と向上する。
【００８３】
なお、上記指紋センサ２１に限らず、使用者本人を判別できるもの、たとえば使用者の眼に対する網膜検出センサなどを用いることも可能である。
【００８４】
【発明の効果】
以上のように、この発明は、撮影画像を記録する使用者を登録者として記憶させる一方、記録画像の再生や消去などの各動作のうちで所望のものの操作を許可するためのアクセス権を設定させ、記録画像の再生などを行う際に、登録してある使用者であるか否かを識別させて、その識別結果に基づいて、設定したアクセス権の行使を認否させるようにしたので、一台の装置を複数人で使ったりする場合に、登録してある使用者の記録画像を他人が再生したり、消去したり、外部機器に複写したりする操作を、使用者本人の意向により、不能にすることができ、これにより使用者は自分の記録画像を保護することができる効果がある。また、使用者未登録のままで撮影した際には、各種アクセス権の設定はすべて全員に対して許可状態で、画像が記録されるように構成したので、使用者全員が記録画像の再生、消去および複写を何ら制約されることなく行える。
【００８５】
また、請求項２の発明では、使用者の識別のために、使用者名およびパスワードを識別用入力情報としたので、使用者の登録のための作業が比較的簡単に行える。
【００８６】
さらに、請求項３の発明では、使用者の識別のために、使用者の指紋と使用者を特定するパスワードを識別用入力情報としたので、使用者の登録のための作業が極めて簡易になる。
【図面の簡単な説明】
【図１】この発明の一実施形態である電子撮像装置の画像取り扱いシステムを適用したデジタルスチルカメラを示す正面図である。
【図２】同実施形態のデジタルスチルカメラを示す背面図である。
【図３】同実施形態のデジタルスチルカメラを示す底面図である。
【図４】同実施形態のデジタルスチルカメラの電気的構成を示すブロック図である。
【図５】同実施形態のデジタルスチルカメラにおけるメモリカードのデータ配列状態の説明図である。
【図６】同実施形態のデジタルスチルカメラにおける使用者の識別手段を示すブロック図である。
【図７】同実施形態のデジタルスチルカメラにおけるアクセス権の設定手段を設定手順の流れで示すブロック図である。
【図８】同実施形態のデジタルスチルカメラにおいて、新規使用者情報を表示部画面上で設定する手順の説明図であり、図８（ａ）〜（ｈ）は表示部画面の表示を示す。
【図９】同実施形態のデジタルスチルカメラにおいて、撮影時の使用者情報を表示部画面上で設定する手順の説明図であり、図９（ａ），（ｂ）は表示部画面上の表示を示す。
【図１０】同実施形態のデジタルスチルカメラにおいて、再生モードなどで使用者名を表示部画面上で確認する作業の説明図であり、図１０（ａ）〜（ｄ）は表示部画面上の表示を示す。
【図１１】同実施形態のデジタルスチルカメラにおいて、再生の途中で使用者名を表示部画面上で確認する作業の説明図であり、図１１（ａ）〜（ｄ）は表示部画面上の表示を示す。
【図１２】この発明の他の実施形態である電子撮像装置の画像取り扱いシステムを適用したデジタルスチルカメラを示す背面図である。
【図１３】同他の実施形態のデジタルスチルカメラにおける使用者の識別手段を示すブロック図である。
【符号の説明】
１…デジタルスチルカメラ
３…撮像部
８…メモリカード
１０…表示部
６０…使用者の識別手段
７０…アクセス権の設定手段
２１１…全体制御部
【図１】
0003788018.tif 000002
【図２】
0003788018.tif 000003
【図３】
0003788018.tif 000004
【図４】
0003788018.tif 000005
【図５】
0003788018.tif 000006
【図６】
0003788018.tif 000007
【図７】
0003788018.tif 000008
【図８】
0003788018.tif 000009
【図９】
0003788018.tif 000010
【図１０】
0003788018.tif 000011
【図１１】
0003788018.tif 000012
【図１２】
0003788018.tif 000013
【図１３】
0003788018.tif 000014